(57)【要約】【課題】ユーザからの指示を受けた装置が各種処理を完了するまでの時間において、ユーザが退屈することなく待ち時間を過ごすことができる記録再生装置を提供する。【解決手段】記録再生装置があらかじめ定められた所定の指示、例えば記録開始指示を受け付けた場合には、指示を受け付けてから記録が完了するまでのライティング時間が発生する。この間、ユーザは記録再生装置に対して指示を送っても即座に応答を得ることができず、待ち時間が発生する。この待ち時間において、制御部が備える処理中再生部が、ハードディスク等の記憶媒体に記録されている動画、音声、或いは画像を外部のモニタ等に出力する。これにより、記録処理と再生処理とが並行して行われる。【選択図】図１
2008112495.tif 000002
【特許請求の範囲】
【請求項１】
動画、音声、及び画像を記録するハードディスクと、
前記ハードディスクに記録されている動画、音声、或いは画像を読み出して表示装置に出力する再生手段と、
外部からの指示を受け付ける受付手段と、
を備えたハードディスク搭載ＤＶＤレコーダであって、
前記受付手段があらかじめ定められた所定の指示を受け付けてから、前記指示に基づく処理が完了するまでの処理中時間において、前記再生手段による動画、音声、或いは画像の出力を行う処理中再生手段と、
前記処理中再生手段により優先的に出力される動画、音声、或いは画像を記録する優先データ記録手段と、
前記処理中再生手段に対して、動画、音声、或いは画像を出力する順序を指定する順序指定手段と、
前記順序指定手段に対して、出力順序に関わらず優先的に出力を行う動画、音声、或いは画像を指定する優先データ指定手段と、
前記優先データ指定手段によりに指定された動画、音声、或いは画像を、前記優先データ記録手段に記録する複製手段と、
前記処理中再生手段に対して、動画、音声、或いは画像のいずれの種別のデータを出力するかを指定する種別指定手段と、
を備えており、
前記処理中再生手段が、前記ハードディスク或いは前記優先データ記録手段に記録されている音声を出力する際に、あらかじめ前記音声に関連付けられた画像を併せて出力することと、
前記処理中再生手段が、前記ハードディスク或いは前記優先データ記録手段に記録された動画を出力する際に、出力する動画として、前記ハードディスクに記録された動画の一部分を抽出することにより作成されたハイライト動画、或いはコマーシャルカット機能により抽出されたコマーシャル動画を用いることと、
を特徴とするハードディスク搭載ＤＶＤレコーダ。
【請求項２】
動画、音声、及び画像を記録する記録手段と、
前記記録手段から動画、音声、或いは画像を読み出して表示装置に出力する再生手段と、
外部からの指示を受け付ける受付手段と、
を備えた記録再生装置であって、
前記受付手段があらかじめ定められた所定の指示を受け付けてから、前記指示に基づく処理が完了するまでの処理中時間において、前記再生手段による動画、音声、或いは画像の出力を行う処理中再生手段
を備えたことを特徴とする記録再生装置。
【請求項３】
前記処理中再生手段により優先的に出力される動画、音声、或いは画像を記録する優先データ記録手段
を備えたことを特徴とする請求項２に記載の記録再生装置。
【請求項４】
前記処理中再生手段に対して、動画、音声、或いは画像を出力する順序を指定する順序指定手段
を備えたことを特徴とする請求項２または請求項３に記載の記録再生装置。
【請求項５】
前記順序指定手段に対して、出力順序に関わらず優先的に出力を行う動画、音声、或いは画像を指定する優先データ指定手段と、
前記優先データ指定手段によりに指定された動画、音声、或いは画像を、前記優先データ記録手段に記録する複製手段と、
を備えたことを特徴とする請求項４に記載の記録再生装置。
【請求項６】
前記処理中再生手段に対して、動画、音声、或いは画像のいずれの種別のデータを出力するかを指定する種別指定手段
を備えたことを特徴とする請求項２〜請求項５のいずれかに記載の記録再生装置。
【請求項７】
前記処理中再生手段が、前記記録手段或いは優先データ記録手段に記録されている音声を出力する際に、あらかじめ前記音声に関連付けられた画像を併せて出力すること
を特徴とする請求項２〜請求項６のいずれかに記載の記録再生装置。
【請求項８】
前記処理中再生手段が、前記記録手段或いは優先データ記録手段に記録された動画を出力する際に、出力する動画として、前記記録手段に記録されている動画の一部分を抽出することにより作成された部分動画、或いは前記記録手段に記録されている動画より抽出されたコマーシャル動画を用いること
を特徴とする請求項２〜請求項７のいずれかに記載の記録再生装置。
【発明の詳細な説明】
【技術分野】
【０００１】
本発明は、動画或いは音声の記録および再生が可能な記録再生装置に関するものであり、特に各種処理の実行中に発生するユーザの待ち時間に関する機能を備えた記録再生装置に関する。
【背景技術】
【０００２】
近年、テレビ等の画像装置において処理される動画或いは音声の記録および再生を行うための装置として、ＤＶＤ（Digital Versatile Disk）レコーダまたはＨＤＤ（Hard Disk Drive）レコーダ等のデジタル方式による記録再生装置が広く普及している。これらの記録再生装置は、ユーザから各種指示を受け付け、その指示に応じた処理（例えば録画処理等）を実行する。この際、指示を受け付けてから処理を完了するまでの間に、ハードウェアの性能限界等により数秒から数十秒の待ち時間が発生する場合がある。
【０００３】
例えば、ＤＶＤメディア等の光ディスク或いはＨＤＤから記録済みデータを読み出し、読み出したデータを映像データ或いは音声データに変換し、変換したデータをテレビモニター等の出力装置で出力するまでにかかる時間（＝ローディング時間）がこれに相当する。このような待ち時間が発生した場合には、前記処理が完了するまで、ユーザは装置に対して指示を行っても即座に応答を得られない状態となる。
【０００４】
上記の問題に関連して特許文献１では、データの再生要求から実際に再生が開始されるまでの待ち時間を、具体的に時間で示すことができる再生装置が開示されている。特許文献１の再生装置は、記録媒体から情報を再生する再生手段と、再生すべき記録媒体が指定されてから再生手段による再生が開始するまでの時間を算出する手段と、算出された時間を表示する表示手段とを備えている。
【０００５】
特許文献１の再生装置によれば、データの再生要求から実際に再生されるまでの待ち時間を具体的に時間で示すことができる。このため、ユーザの操作性を向上させることができる。
【０００６】
また上記の問題に関連して特許文献２では、表示形態を工夫することにより、動作状況や記録媒体の状況の表示を、ユーザにとって理解しやすいようにすることを目的としたドライブ装置が開示されている。特許文献２のドライブ装置は、記録媒体からのデータ読出動作状況を分析して表示データ生成のための分析情報を生成する。そしてその分析情報に基づいて、データ読出動作状況を提示でき、かつ表示効果処理が行なわれた表示データを表示する。
【０００７】
特許文献２のドライブ装置によれば、表示形態を工夫することにより、ユーザはその動作状況をわかりやすく理解できる。例えば、求める表示内容が表示されるまでの待ち時間でも、動作状況を誤解することは解消される。又、表示効果処理として、表示部で表示される画像の形態又は色彩又は表示状態（点滅／点灯等）を変化させることで、上記効果を促進し、ユーザにとってわかりやすい表示を実現することができる。
【特許文献１】特開平１０−２８３７１８号公報
【特許文献２】特開２００２−２０７８１１号公報
【発明の開示】
【発明が解決しようとする課題】
【０００８】
しかしながら、上記特許文献１および特許文献２に開示されている装置においては、所定の処理が完了するまでのユーザの待ち時間において、装置の動作状況及び処理完了までの待ち時間をユーザに通知することはできるが、動画或いは音声等の再生ができないため、結果としてユーザに退屈感を感じさせることとなっていた。
【０００９】
以上の点を鑑みて、本発明の目的は、ユーザからの指示を受けた装置が各種処理を完了するまでの時間において、ユーザが退屈することなく待ち時間を過ごすことができる記録再生装置を提供することにある。
【課題を解決するための手段】
【００１０】
上記目的を達成するために本発明のハードディスク搭載ＤＶＤレコーダは、動画、音声、及び画像を記録するハードディスクと、前記ハードディスクに記録されている動画、音声、或いは画像を読み出して表示装置に出力する再生手段と、外部からの指示を受け付ける受付手段とを備えたハードディスク搭載ＤＶＤレコーダであって、前記受付手段があらかじめ定められた所定の指示を受け付けてから、前記指示に基づく処理が完了するまでの処理中時間において、前記再生手段による動画、音声、或いは画像の出力を行う処理中再生手段と、前記処理中再生手段により優先的に出力される動画、音声、或いは画像を記録する優先データ記録手段と、前記処理中再生手段に対して、動画、音声、或いは画像を出力する順序を指定する順序指定手段と、前記順序指定手段に対して、出力順序に関わらず優先的に出力を行う動画、音声、或いは画像を指定する優先データ指定手段と、前記優先データ指定手段によりに指定された動画、音声、或いは画像を、前記優先データ記録手段に記録する複製手段と、前記処理中再生手段に対して、動画、音声、或いは画像のいずれの種別のデータを出力するかを指定する種別指定手段とを備えており、前記処理中再生手段が、前記ハードディスク或いは前記優先データ記録手段に記録されている音声を出力する際に、あらかじめ前記音声に関連付けられた画像を併せて出力することと、前記処理中再生手段が、前記ハードディスク或いは前記優先データ記録手段に記録された動画を出力する際に、出力する動画として、前記ハードディスクに記録された動画の一部分を抽出することにより作成されたハイライト動画、或いはコマーシャルカット機能により抽出されたコマーシャル動画を用いることとを特徴としている。
【００１１】
これによると、ハードディスク搭載ＤＶＤレコーダがあらかじめ定められた所定の指示、例えば記録開始指示を受け付けた場合に、指示を受け付けてから記録が完了するまでのユーザの待ち時間において、制御部が備える処理中再生部が、ハードディスクに記録されている動画、音声、或いは画像を外部のモニタ等に出力する。これにより、記録処理と再生処理とが並行して行われる。またハードディスクは、ユーザが待ち時間の間に特に視聴したいと考えるデータを記録する待受再生データ記憶領域を備えている。待受再生データ記憶領域に格納されているデータは、処理中再生部が再生処理を行う際の再生データとして優先的に使用される。また制御部は、順序指定部を備えている。順序指定部とは、処理中再生部が再生処理を行う際に、何れのデータをいかなる順序で再生するかを処理中再生部に対して指定する機能部である。また制御部は、優先データ指定部と複製部とを備えている。優先データ指定部は、順序指定部に対して、処理中再生部が最優先で再生すべきデータである優先データの指定を行うための機能部である。優先データ指定部より優先データの指定を受けた順序指定部は、保持している再生順序の最上位に、指定された優先データを設定する。複製部は、優先データ指定部が順序指定部に対して指定した優先データを、ハードディスクから待受再生データ記憶領域に複製するための機能部である。また制御部は、種別指定部を備えている。種別指定部とは、処理中再生部が再生処理を行う際に、何れの種別のデータを優先的に再生するかを処理中再生部に対して指定する機能部である。種別指定部により音楽データの再生を指示された処理中再生部は、音楽データの再生を行う際に、あらかじめ音楽データに関連付けられた画像データの再生を併せて行う。また、動画の再生を指示された処理中再生部は、再生する動画データとして、ハイライトデータ或いはＣＭデータを用いた再生を行う。
【００１２】
上記目的を達成するために本発明の記録再生装置は、動画、音声、及び画像を記録する記録手段と、前記記録手段から動画、音声、或いは画像を読み出して表示装置に出力する再生手段と、外部からの指示を受け付ける受付手段とを備えた記録再生装置であって、前記受付手段があらかじめ定められた所定の指示を受け付けてから、前記指示に基づく処理が完了するまでの処理中時間において、前記再生手段による動画、音声、或いは画像の出力を行う処理中再生手段を備えたことを特徴としている。
【００１３】
これによると、記録再生装置があらかじめ定められた所定の指示、例えば記録開始指示を受け付けた場合に、指示を受け付けてから記録が完了するまでのライティング時間（＝処理中時間）が発生する。この間、ユーザは記録再生装置に対して指示を送っても即座に応答を得ることができず、待ち時間が発生する。この待ち時間において、制御部が備える処理中再生部（＝処理中再生手段）が、ハードディスク等の記憶媒体（＝記録手段）に記録されている動画、音声、或いは画像を外部のモニタ等（＝表示装置）に出力する。これにより、記録処理と再生処理とが並行して行われる。
【００１４】
また、上記目的を達成するために本発明の記録再生装置は、前記処理中再生手段により優先的に出力される動画、音声、或いは画像を記録する優先データ記録手段を備えたことを特徴としている。
【００１５】
これによると、ユーザが待ち時間の間に特に視聴したいと考えるデータを記録する待受再生データ記憶領域（＝優先データ記録手段）を備えている。待受再生データ記憶領域に格納されているデータは、処理中再生部が再生処理を行う際の再生データとして優先的に使用される。なお待受再生データ記憶領域は、記録再生装置が備えるハードディスク等の記憶媒体に備わっている構成でもよいし、或いはメモリ等の一時記憶媒体に備わっている構成でもよい。また或いは、ネットワークドライブ等の外部記録媒体に備わっている構成でもよい。
【００１６】
また、上記目的を達成するために本発明の記録再生装置は、前記処理中再生手段に対して、動画、音声、或いは画像を出力する順序を指定する順序指定手段を備えたことを特徴としている。
【００１７】
これによると、記録再生装置が備える制御部は、順序指定部（＝順序指定手段）を備えている。順序指定部とは、処理中再生部が再生処理を行う際に、何れのデータをいかなる順序で再生するかを処理中再生部に対して指定する機能部である。なお、順序指定手段が行う指定は、本発明の処理中再生機能が備える設定画面においてユーザより受け付けた各種指示に基づいて行われる。
【００１８】
また、上記目的を達成するために本発明の記録再生装置は、前記順序指定手段に対して、出力順序に関わらず優先的に出力を行う動画、音声、或いは画像を指定する優先データ指定手段と、前記優先データ指定手段によりに指定された動画、音声、或いは画像を、前記優先データ記録手段に記録する複製手段とを備えたことを特徴としている。
【００１９】
これによると、記録再生装置が備える制御部は、優先データ指定部（＝優先データ指定手段）と複製部（＝複製手段）とを備えている。優先データ指定部は、順序指定部に対して、処理中再生部が最優先で再生すべきデータである優先データの指定を行うための機能部である。優先データ指定部より優先データの指定を受けた順序指定部は、保持している再生順序の最上位に、指定された優先データを設定する。複製部は、優先データ指定部が順序指定部に対して指定した優先データを、ハードディスクから待受再生データ記憶領域に複製するための機能部である。なお、待受再生データ記憶領域の残容量が少ない場合は、制御部が複製部の処理を禁止することも可能である。
【００２０】
また、上記目的を達成するために本発明の記録再生装置は、前記処理中再生手段に対して、動画、音声、或いは画像のいずれの種別のデータを出力するかを指定する種別指定手段を備えたことを特徴としている。
【００２１】
これによると、記録再生装置が備える制御部は、種別指定部（＝種別指定手段）を備えている。種別指定部とは、処理中再生部が再生処理を行う際に、何れの種別のデータを優先的に再生するかを処理中再生部に対して指定する機能部である。なお、種別指定手段が行う指定は、本発明の処理中再生機能が備える設定画面においてユーザより受け付けた各種指示に基づいて行われる。具体的には、動画データ、音楽データ等のデータ種別の中から一つが選ばれる。
【００２２】
また、上記目的を達成するために本発明の記録再生装置は、前記処理中再生手段が、前記記録手段或いは優先データ記録手段に記録されている音声を出力する際に、あらかじめ前記音声に関連付けられた画像を併せて出力することを特徴としている。
【００２３】
これによると、種別指定部により音楽データの再生を指示された処理中再生部は、音楽データの再生を行う際に、あらかじめ音楽データに関連付けられた画像データの再生を併せて行う。なお、音楽データと画像データとの関連づけは、本発明の処理中再生機能が備える設定画面においてユーザより受け付けた各種指示に基づいて行われる。
【００２４】
また、上記目的を達成するために本発明の記録再生装置は、前記処理中再生手段が、前記記録手段或いは優先データ記録手段に記録されている動画を出力する際に、出力する動画として、前記記録手段に記録されている動画の一部分を抽出することにより作成された部分動画、或いは前記記録手段に記録されている動画より抽出されたコマーシャル動画を用いることを特徴としている。
【００２５】
これによると、種別指定部により動画の再生を指示された処理中再生部は、再生する動画データとして、ハイライトデータ（＝部分動画）或いはＣＭデータ（＝コマーシャル動画）を用いた再生を行う。ハイライトデータとは、ハードディスクに記録されている録画データから、ユーザが特に好んで視聴すると思われるシーンのみを抽出して結合した動画データである。ＣＭデータとは、例えばＣＭカット機能等により録画データより分離されたＣＭ部分の動画データである。
【発明の効果】
【００２６】
本発明によれば、記録再生装置があらかじめ定められた所定の指示、例えば記録開始指示を受け付けた際に、指示を受け付けてから記録が完了するまでのユーザの待ち時間において、ハードディスクに記録されている動画、音声、或いは画像を再生する。このためユーザは、待ち時間においても動画等を視聴することができるため、ユーザが感じる退屈感を軽減することができる。
【００２７】
また本発明によれば、待受再生データ記憶領域に格納されているデータが、処理中再生部により優先的に再生される。従ってユーザは、待ち時間の間に視聴したい動画、或いは音楽等をあらかじめ待受再生データ記憶領域に格納しておくことにより、優先的に再生されるデータを指定することができる。このため、ユーザの待ち時間における退屈感の緩和を図ることができる。
【００２８】
また本発明によれば、処理中再生部が再生処理を行う際に、再生するデータの順序を順序指定部が指定する。順序指定部はあらかじめユーザから受け付けた指示等に基づいて再生順序を決定する。従ってユーザは、待ち時間において再生されるデータの再生順序を自由に変更することが可能である。
【００２９】
また本発明によれば、優先データ指定部が順序指定部に対して、最優先で再生すべきデータである優先データの指定を行う。優先データ指定部はあらかじめユーザから受け付けた指示等に基づいて優先データを決定する。従ってユーザは、待ち時間において最優先で視聴したいデータを自由に変更することが可能である。また優先データは複製部により待受再生データ記憶領域に複製される。このためユーザは、待受再生データ記憶領域へ優先データをコピーする作業を行う必要がない。従ってユーザの作業負担を軽減することが可能である。
【００３０】
また本発明によれば、処理中再生部が再生処理を行う際に、再生するデータの種別を種別指定部が指定する。種別指定部はあらかじめユーザから受け付けた指示等に基づいて再生種別を決定する。従ってユーザは、待ち時間において優先的に再生されるデータの種別を自由に変更することが可能である。
【００３１】
また本発明によれば、処理中再生部が音楽データの再生処理を行う際に、あらかじめ音楽データに関連付けられた画像データの再生を併せて行う。このため、処理中時間において使用されていない表示装置を有効に活用して、よりユーザの退屈感の緩和を図ることができる。
【００３２】
また本発明によれば、処理中再生部が動画データの再生処理を行う際に、ハイライトデータ或いはＣＭデータを用いた再生を行う。ハイライトデータを用いた場合は、ユーザがより好むと思われる動画のみを選択的に表示するため、よりユーザの退屈感の緩和を図ることができる。またＣＭデータを用いた場合は、自動消去機能により一定期間経過に消去されるＣＭデータを、より効率的に視聴することが可能である。また、ＣＭデータは常に蓄積されているものであるため、処理中再生部が再生する動画が存在せず、結果として処理中再生機能が機能しないといった弊害を防止することが可能である。
【発明を実施するための最良の形態】
【００３３】
以下に本発明の実施形態を、図面を参照しながら説明する。なお、ここで示す実施形態は一例であり、本発明はここに示す実施形態に限定されるものではない。
【００３４】
〈１．内部構成について〉
図２は、本発明の一実施形態に係るＨＤＤ搭載ＤＶＤレコーダ１（＝記録再生装置）を示す構成図である。ＨＤＤ搭載ＤＶＤレコーダ１は、少なくとも、制御部１１、メモリ１２、ＨＤＤ１３、データ入力部１４、エンコーダ部１５、再生信号制御部１６、データ出力部１７、光ディスクドライブ１８、操作ボタン群１９、およびフロントパネル２０を備えている。
【００３５】
制御部１１は、ＨＤＤ搭載ＤＶＤレコーダ１の各部材の駆動を制御することにより画像情報処理、例えばコンテンツの録画或いは再生等を統括制御するためのものであり、例えば複数のマイクロプロセッサから構成されている。また制御部１１は、各装置（例えばＨＤＤ１３等）の制御やデータの計算、加工処理等を行なう中枢部分となっている。制御部１１は複数の機能部から構成されており、少なくとも処理中再生部１１ａ（＝処理中再生手段）、命令受付部１１ｂ（＝受付手段）、順序指定部１１ｃ（＝順序指定手段）、優先データ指定部１１ｄ（＝優先データ指定手段）、複製部１１ｅ（＝複製手段）、および種別指定部１１ｆ（＝種別指定手段）を含むように構成されている。なお各機能部の詳細については後述する。
【００３６】
メモリ１２は、ＨＤＤ搭載ＤＶＤレコーダ１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３７】
ＨＤＤ１３（＝記録手段）は、ＨＤＤ搭載ＤＶＤレコーダ１が保持する録画データ、或いはユーザのお気に入りデータ等を記録するための磁気記録媒体である。なお、ＨＤＤ１３は、複数の領域（＝パーティション）に分割されており、記録するデータの種別に応じて領域別に記録することがより望ましい。ＨＤＤ１３は少なくとも、録画データ記録領域１３ａ、ハイライトデータ（＝部分動画）記録領域１３ｂ、ＣＭデータ（＝コマーシャル動画）記録領域１３ｃ、音声データ記録領域１３ｄ、画像データ記録領域１３ｅ、待受再生データ記録領域１３ｆ（＝優先データ記録手段）を含むように構成されている。なお、各記録領域の詳細については後述する。
【００３８】
データ入力部１４は、例えばデジタルチューナーなどの外部装置からデジタルデータを入力するための入力インターフェースである。また、例えばアナログデータを入力する場合は、Ａ／Ｄコンバータ（Analog Digital Converter）を用いてアナログの動画データおよび音声データをデジタルデータに変換して入力することが可能である。
【００３９】
エンコーダ部１５は、動画データをＭＰＥＧ２等の動画圧縮方式により圧縮を行ったり、音声データをＤｏｌｂｙ  ＡＣ−３やＬＰＣＭ等の音声圧縮方式により圧縮を行ったりする。なお、圧縮を行うデータとしては、例えばデータ入力部１４より入力された動画データおよび音声データ等が対象となる。なお、入力された動画データが既になんからの圧縮方式で圧縮されている場合は、エンコードを行わないようにすることも可能である。
【００４０】
再生信号制御部１６は、前記エンコーダ部１５等により圧縮された動画データおよび音声データを伸長して画像信号或いは音声信号を生成する。生成された各種信号は、例えば後述するデータ出力部１７等を用いて外部機器に対して出力される。
【００４１】
データ出力部１７は、例えばモニタなどの外部装置に対して動画データおよび音声データを出力するための出力インターフェースである。なお、例えば出力先の機器がアナログインタフェースしか備えていない場合は、Ｄ／Ａコンバータ（Digital Analog Converter）を用いてデジタルの動画データおよび音声データをアナログデータに変換して出力することが可能である。
【００４２】
光ディスクドライブ１８は、ＣＤメディア、或いはＤＶＤメディア等の光ディスクを記録し、光ディスクに対して光学的に各種データの読み込み、または書き込みを行うための光学装置である。なお、光ディスクには複数の規格が存在するため、光ディスクドライブ１８の規格に応じた光ディスクを使用しなければ、各種処理（録画、再生等）を行うことができない。
【００４３】
操作ボタン群１９は、ユーザが番組の録画および録画予約等の各種指示をＨＤＤ搭載ＤＶＤレコーダ１に対して行なうための入力インターフェースである。操作ボタン群１９により出力された指示は、制御部１１により受け付けられる。指示を受け付けた制御部１１は、指示の内容に基づいて各種処理を行う。フロントパネル２０は、ＨＤＤ搭載ＤＶＤレコーダ１の各種情報をユーザに対して表示する。
【００４４】
〈２．機能部の構成について〉
【００４５】
ここで、本発明のＨＤＤ搭載ＤＶＤレコーダ１が備える処理中再生機能を構成する各機能部の関係を、図１の機能ブロック図を用いながら説明する。
【００４６】
図１に示すように本発明の処理中再生機能は少なくとも、制御部１１が備える処理中再生部１１ａ、命令受付部１１ｂ、順序指定部１１ｃ、優先データ指定部１１ｄ、複製部１１ｅ、および種別指定部１１ｆと、ＨＤＤ１３が備える録画データ記録領域１３ａ、ハイライトデータ記録領域１３ｂ、ＣＭデータ記録領域１３ｃ、音声データ記録領域１３ｄ、画像データ記録領域１３ｅ、および待受再生データ記録領域１３ｆと、データ出力部１７とにより構成される。
【００４７】
処理中再生部１１ａは、制御部１１があらかじめ定められた所定の処理（例えばダビング処理等）の開始命令を後述する命令受付部１１ｂより受け付けてから、処理が完了するまでの時間（＝処理中時間）において、ＨＤＤ１３に記録されている各種データ（例えばハイライトデータ、ＣＭデータ等）を、データ出力部１７を用いて出力する。
【００４８】
命令受付部１１ｂは、例えばユーザが操作ボタン群１９を操作すること等により発生した各種命令（例えば録画開始命令、再生開始命令等）を受け付け、受け付けた命令の内容に基づいて各命令を各機能部に伝達する役割を持つ。
【００４９】
順序指定部１１ｃは、処理中再生部１１ａがデータ出力部１７を用いたデータ出力処理（＝再生処理）を行う際に、処理中再生部１１ａが再生するデータの再生順序（＝出力順序）を指定する。なお再生順序の指定は、後述する各種設定メニュー画面においてユーザから受け付けた各種指示に基づいて行われる。
【００５０】
優先データ指定部１１ｄは、順序指定部１１ｃ及び複製部１１ｅに対して、再生順序に関係なく優先的に再生すべきデータ（＝優先データ）の指定を行う。指定を受けた順序指定部１１ｃは、あらかじめ保持していた再生順序の最上位に、優先データを設定する。ただし、既に他の優先データが設定されている場合は、あらかじめ定められた規則（例えば設定日時順等）に則って、複数の優先データの再生順序を決定する。
【００５１】
複製部１１ｅは、優先データ指定部１１ｄより優先データの指定を受け付け、指定された優先データを待受再生データ記録領域１３ｆに複製する。なお、複製部１１ｅの機能によりＨＤＤ１３の使用可能領域が不足する恐れがある場合は、複製部１１ｅの処理を禁止させることが望ましい。例えば、ＨＤＤ１３の使用可能領域があらかじめ定められた所定量を下回った場合に、制御部１１が複製部１１ｅの処理を禁止してもよい。
【００５２】
種別指定部１１ｆは、処理中再生部１１ａが再生処理を行う際に、どの種別のデータを優先的に再生するかを処理中再生部１１ａに対して指定する。なお、優先的に再生する種別の指定は、後述する優先順位設定画面においてユーザから受け付けた指示に基づいて行われる。具体的には、ハイライトデータ、ＣＭデータ、或いは音楽データのいずれかの選択を受け付けることにより、種別が設定される。ただし指定された種別のデータがＨＤＤ１３に記録されていない場合は、選択されていない種別のデータでも再生対象とすることが望ましい。
【００５３】
録画データ記録領域１３ａは、データ入力部１４より入力された、或いは光ディスクドライブ１８により光ディスク（不図示）から読み出された、画像データ及び音声データを記録するため領域である。
【００５４】
ハイライトデータ記録領域１３ｂは、録画データ記録領域１３ａに記録されている録画データの一部分を抽出し、抽出した部分データを結合することにより作成されたハイライトデータ（＝部分動画）を記録するための領域である。なおハイライトデータは、例えばスポーツ番組において、音量があらかじめ定められた基準値を超えるシーンのみを抽出及び結合することにより作成される。ハイライトデータは、例えばサッカーの試合であれば、得点シーンのような比較的音量が大きいシーンのみを含むようになっている。このためユーザは、注目度の高いと想定されるシーンのみを効率的に視聴することが可能である。
【００５５】
ＣＭデータ記録領域１３ｃは、ＣＭカット機能、あるいは手動等で録画データより抽出されたＣＭデータを記録する領域である。ＣＭデータは通常、作成されてから所定期間を経過後にデータ削除部（不図示）により削除される。このため、ＨＤＤ１３の使用可能領域を効率的に活用することができる。
【００５６】
音声データ記録領域１３ｄは、ＷＡＶ形式やＭＰ３形式等の音声データ、或いは音楽データを記録する領域である。この領域に記録されているデータは、処理中再生部１１ａによって読み出され、順序指定部１１ｃにより指定された再生順序に従い、データ出力部１７より出力される。
【００５７】
画像データ記録領域１３ｅは、ＢＭＰ形式やＪＰＧ形式等の画像データを記録する領域である。この領域に記録されているデータは、関連付けられている音声データが処理中再生部１１ａによって再生される際に、併せて読み出されて再生される。
【００５８】
待受再生データ記録領域１３ｆは、処理中再生部１１ａに対して優先的に再生させたいデータ（＝お気に入りデータ）を記録するための領域である。お気に入りデータは、動画データ、音声データ、或いは画像データのいかなる種別のデータであってもよい。また、複製部１１ｅにより複製されたデータも、この待受再生データ記録領域１３ｆに記録される。待受再生データ記録領域１３ｆに記録されたデータは、処理中再生部１１ａが再生処理を行う際に最優先で再生される。
【００５９】
〈３．設定画面について〉
ここで、本発明の処理中再生機能に関してＯＳＤ（on-screen display）生成部（不図示）が生成する各種設定画面について、図４〜図８の画面図を用いながら説明する。
【００６０】
図４〜図８は、本発明のＨＤＤ搭載ＤＶＤレコーダ１が備えるＯＳＤ生成部により生成された、処理中再生機能に関する設定画面の一例である。図４は、設定画面のメイン画面である。この画面においては、優先順位設定、ハイライト再生設定、ＣＭ再生設定、及び音楽／画像再生設定の中からどの設定を行うかの選択指示を、ユーザから受け付ける。
【００６１】
図５は、図４のメイン画面において優先順位設定が選択された場合に表示される優先順位設定画面である。優先順位設定画面においては、処理中再生部１１ａがハイライト再生、ＣＭ再生、及び音楽／画像再生のうち、どの再生処理を優先的に行うかの指示を受け付ける。受け付けられた指示は種別指定部１１ｆに通知される。
【００６２】
図６（ａ）は、図４のメイン画面において「ハイライト再生設定」が選択された場合に表示されるハイライト再生設定画面である。ハイライト再生とは、処理中再生部１１ａが、ハイライトデータ記録領域１３ｂに記録されたハイライトデータを優先的に再生する再生方法である。ハイライト再生設定画面においては、処理中再生部１１ａがハイライト再生を行う際に、お気に入り再生と通常再生とのいずれの方法を行うかの選択指示を受け付ける。お気に入り再生とは、ユーザがあらかじめ指定したお気に入りのハイライトデータを優先して再生する再生方法である。通常再生とは、ユーザにより指定されたお気に入りのハイライトデータに関係なく、あらかじめ定められた所定の順序（例えば記録日時の順序等）により再生する再生方法である。
【００６３】
図６（ａ）において「１．お気に入り再生」の選択指示を受け付けた場合には、図６（ｂ）が表示される。図６（ｂ）は、ハイライトデータ記録領域１３ｂに記録されているハイライトデータの一覧を表示した画面である。この画面においてユーザは、処理中再生部１１ａが優先的に再生するハイライトデータ（＝お気に入りデータ）を指定することができる。
【００６４】
お気に入りデータに指定されたハイライトデータは、例えば図６（ｂ）に示すように、★マークが付加され、他のハイライトデータと区別される。お気に入りデータのタイトルは、優先データ指定部１１ｄに通知される。また、図６（ａ）および図６（ｂ）において受け付けられた各種指示は、順序指定部１１ｃに通知される。
【００６５】
例えば図６（ｂ）の例では、順序指定部１１ｃ及び優先データ指定部１１ｄからの指示を受けた処理中再生部１１ａは、まずハイライトデータ２を再生し、次にハイライトデータ４を再生する。これによりお気に入りデータの再生は完了したため、次にハイライトデータ１、ハイライトデータ３、ハイライトデータ５の順に再生を行う。
【００６６】
図７（ａ）は、図４のメイン画面において「ＣＭ再生設定」が選択された場合に表示されるＣＭ再生設定画面である。ＣＭ再生とは、処理中再生部１１ａが、ＣＭデータ記録領域１３ｃに記録されたＣＭデータを優先的に再生する再生方法である。ＣＭ再生設定画面においては、処理中再生部１１ａがＣＭ再生を行う際に、お気に入り再生と通常再生とのいずれの方法を用いて行うかの選択指示を受け付ける。なお、通常再生とお気に入り再生との内容については、ハイライト再生のものと同じであるためここでは説明を省略する。
【００６７】
図７（ａ）において「１．お気に入り再生」の選択指示を受け付けた場合には、図７（ｂ）が表示される。図７（ｂ）は、ＣＭデータ記録領域１３ｃに記録されているＣＭデータの一覧を表示した画面である。この画面においてユーザは、処理中再生部１１ａが優先的に再生するＣＭデータ（＝お気に入りデータ）を指定することができる。
【００６８】
お気に入りデータに指定されたＣＭデータは、例えば図７（ｂ）に示すように、★マークが付加され、他のＣＭデータと区別される。お気に入りデータのタイトルは、優先データ指定部１１ｄに通知される。また、図７（ａ）および図７（ｂ）において受け付けられた各種指示は、順序指定部１１ｃに通知される。
【００６９】
図８は、図４のメイン画面において「音楽／画像再生設定」が選択された場合に表示される音楽／画像再生設定画面である。音楽／画像再生設定画面においては、処理中再生部１１ａにより再生される音楽データの再生順序と、各音楽データに関連付けられている画像データが表示されている。関連付けられた画像データは、音楽データが再生される際に、併せて再生される。ただし、既に何らかの画像或いは動画が表示装置（不図示）において再生されている場合は、画像データの再生は行われない。
【００７０】
図８の音楽／画像再生設定画面においては、音楽データの再生順序の指定、および音楽データに関連付ける画像データの選択を受け付ける。受け付けられた各種指示は、順序指定部１１ｃに通知される。例えば図８の例では、音楽データ「ＭＵＳＩＣ５」と画像データ「画像１」の再生が同時に行われた後、音楽データ「ＭＵＳＩＣ３」と画像データ「画像２」の再生が同時に行われる。
【００７１】
〈４．処理フローについて〉
ここで、本発明のＨＤＤ搭載ＤＶＤレコーダ１が備える処理中再生機能の処理フローを、図１及び図２のブロック図と、図３のフロー図とを用いながら説明する。
【００７２】
図３は、本発明の処理中再生処理の処理フローを示したフロー図である。本処理は、制御部１１があらかじめ定められた所定の処理（例えばダビング処理等）の実行開始命令を検知することにより開始される。なお、本実施形態においては、所定の処理としてダビング処理（ＨＤＤからＤＶＤメディア等へのデータの複製処理）を例にとって説明を行っているが、これ以外の処理（例えば再生処理、データ記録処理等）の処理開始命令を受け付けた際に、本発明の処理中再生機能による処理を行ってもよい。
【００７３】
ダビング処理の実行開始命令を検知した制御部１１は、ステップＳ１１０において、あらかじめ処理中再生機能が有効に設定されているかどうかの確認を行う。なお、処理中再生機能の有効／無効設定は、ＨＤＤ搭載ＤＶＤレコーダ１に対して設定する方式、つまり設定が有効になっていれば所定の処理全てに対して有効となる方式であってもよいし、あるいは処理毎に個別に設定する方式であってもよい。
【００７４】
まず、ステップＳ１１０において、処理中再生機能が有効に設定されていないと判定された場合について説明する。この場合には、制御部１１はダビング処理を行った後、ステップＳ１９０に移行してダビング処理完了の通知を行い、本処理を終了する。
【００７５】
次に、ステップＳ１１０において、処理中再生機能が有効に設定されていると判定された場合について説明する。この場合には、制御部１１はステップＳ１２０において、待受再生データ記録領域１３ｆに動画データ、或いは音声データが存在するかの判定を行う。ここではまず、待受再生データ記録領域１３ｆにデータが存在すると判定された場合の処理について説明する。
【００７６】
ステップＳ１２０において、待受再生データ記録領域１３ｆにデータが存在すると判定された場合には、処理中再生部１１ａはステップＳ２１０において、待受再生データ記録領域１３ｆに記録されている各種データの再生を開始する。なお、待受再生データ記録領域１３ｆに複数の種類のデータが存在する場合には、例えばあらかじめ定められた優先度（例えばＣＭデータよりもハイライトデータを最優先する等）に従って再生を行う。また例えば、ランダムな順序で再生を行ってもよい。
【００７７】
次に制御部１１はステップＳ２２０において、実行中のダビング処理が完了したかどうかの判定を行う。ダビング処理が完了していないと判定された場合、ステップＳ２１０に再び移行し、処理中再生部１１ａによる再生処理を継続して行う。逆にダビング処理が完了していると判定された場合には、処理中再生部１１ａはステップ２３０において、待受再生データ記録領域１３ｆに記録されている各種データの再生を停止する。次に制御部１１は、ステップＳ１９０に移行してダビング処理完了の通知を行い、本処理を終了する。
【００７８】
ステップＳ１２０に戻り、待受再生データ記録領域１３ｆにデータが存在しないと判定された場合の処理について説明する。この場合には、制御部１１はステップＳ１３０において、種別指定部１１ｂが処理中再生部１１ａに対して音楽データを優先的に再生するように指定しているかどうかの判定を行う。なお、種別指定部１１ｂが指定する種別は、図５に示す優先順位設定画面において受け付けた命令に基づいて決定される。判定の結果、音楽データを優先的に再生するように指定している場合には、ステップＳ１４０に移行する。指定していない場合には、ステップＳ３１０に移行する。ここではまず、音楽データが優先的に再生するように指定されている場合の処理について説明する。
【００７９】
ステップＳ１３０において、種別指定部１１ｂが音楽データを優先的に再生するように指定していると判定された場合には、処理中再生部１１ａはステップＳ１４０において、音楽データ記録領域１３ｄに記録されている音楽データの再生を開始する。この際、処理中再生部１１ａは、順序指定部１１ｃにより指定された順序で音楽データの再生を行う。なお順序指定部１１ｃが指定する順序は、図８に示す音楽／画像再生設定画面においてユーザから受け付けた命令に基づいて決定される。
【００８０】
次に制御部１１は、実行中の処理（本実施形態においてはダビング処理）が、データ出力部１７を用いた動画或いは画像の再生処理を伴う処理であるかどうかの判定を行う。動画或いは画像の再生処理を伴わない処理であると判定された場合には、処理中再生部１１ａはステップＳ１６０において、再生中の音楽データに関連図付けられた画像データの再生を行う。逆に再生処理を伴う処理であると判定された場合には、処理中再生部１１ａは画像データを再生することが不可能であるため、次のステップＳ１７０に移行する。
【００８１】
なお、音楽データに関連付けられている画像データは、図８に示す音楽／画像再生設定画面においてユーザから受け付けた命令に基づいて決定される。例えば図８に示す例では、音楽データ「ＭＵＳＩＣ５」が再生される際に、関連付けられている「画像１」が併せて再生される。
【００８２】
次に制御部１１はステップＳ１７０において、実行中のダビング処理が完了したかどうかの判定を行う。ダビング処理が完了していないと判定された場合は、ステップＳ１４０に再び移行し、処理中再生部１１ａによる再生処理を継続して行う。逆にダビング処理が完了していると判定された場合には、処理中再生部１１ａはステップＳ１８０において、再生中の音声データ及び画像データの再生を停止する。次に制御部１１は、ステップＳ１９０に移行してダビング処理完了の通知を行い、本処理を終了する。
【００８３】
ステップＳ１３０に戻り、種別指定部１１ｂが処理中再生部１１ａに対して音楽データを優先的に再生するように指定していないと判定された場合の処理について説明する。この場合には、制御部１１はステップＳ３１０において、種別指定部１１ｂが処理中再生部１１ａに対してハイライトデータを優先的に再生するよう指定しているかどうかの判定を行う。ここではまず、ハイライトデータが優先的に再生されるように指定されている場合の処理について説明する。
【００８４】
ステップＳ３１０において、種別指定部１１ｂが処理中再生部１１ａに対してハイライトデータを優先的に再生するように指定していると判定された場合には、処理中再生部１１ａはステップＳ３２０において、ハイライトデータ記録領域１３ｂに記録されているハイライトデータの再生を開始する。この際、処理中再生部１１ａは、順序指定部１１ｃにより指定された順序でハイライトデータの再生を行う。なお順序指定部１１ｃが指定する順序は、図６に示すハイライト再生設定画面においてユーザから受け付けた命令、および優先データ指定部１１ｄからの指示に基づいて決定される。
【００８５】
次に制御部１１はステップＳ３３０において、実行中のダビング処理が完了したかどうかの判定を行う。ダビング処理が完了していないと判定された場合には、ステップＳ３２０に再び移行し、処理中再生部１１ａによる再生処理を継続して行う。逆にダビング処理が完了していると判定された場合には、処理中再生部１１ａはステップＳ３４０において、再生中のハイライトデータの再生を停止する。次に制御部１１は、ステップＳ１９０に移行してダビング処理完了の通知を行い、本処理を終了する。
【００８６】
ステップＳ３１０に戻り、種別指定部１１ｂが処理中再生部１１ａに対してハイライトデータを優先的に再生するように指定していないと判定された場合の処理について説明する。この場合には、制御部１１はステップＳ４１０において、ＣＭデータ記録領域１３ｃに記録されているＣＭデータの再生を開始する。この際、処理中再生部１１ａは、順序指定部１１ｃにより指定された順序でＣＭデータの再生を行う。なお順序指定部１１ｃが指定する順序は、図７に示すＣＭ再生設定画面において受け付けた命令、および優先データ指定部１１ｄからの指示に基づいて決定される。
【００８７】
次に制御部１１はステップＳ４２０において、実行中のダビング処理が完了したかどうかの判定を行う。ダビング処理が完了していないと判定された場合には、ステップＳ４１０に再び移行し、処理中再生部１１ａによる再生処理を継続して行う。ダビング処理が完了していると判定された場合には、処理中再生部１１ａはステップＳ４３０において、再生中のＣＭデータの再生を停止する。次に制御部１１は、ステップＳ１９０に移行してダビング処理完了の通知を行い、本処理を終了する。
【００８８】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８９】
従って本発明は、以下の形態にも適用可能である。
（Ａ）本実施形態では、処理中再生部１１ａが出力する対象データとして動画および音楽（画像は音楽に関連付けられたもののみ）を例として説明した。しかしこれ以外のデータを出力対象としてもよい。例えば、画像を単体で出力対象とする形態でもよい。或いは、ＯＳＤ生成部により作成された文字情報、例えばデータ通信により受信したニュース速報等を示す文字情報を、出力対象とする形態でもよい。
【００９０】
（Ｂ）本実施形態では、処理中再生部１１ａが再生処理を行う所定の処理としてダビング処理を例として説明した。しかしこれ以外の処理において発生するユーザの待ち時間において、処理中再生部１１ａによる再生処理を行ってもよい。例えば、ＤＶＤメディアの再生開始指示を受け付けた場合のシーク時間、或いはＤＶＤメディアへの記録指示を受け付けた際の記録時間等において、処理中再生部１１ａが再生処理を行う形態でもよい。
【００９１】
（Ｃ）本実施形態では、待受再生データ記録領域１３ｆをＨＤＤ１３内部に設ける構成を例として説明したが、ＨＤＤ１３以外の記録媒体に待受再生データ記録領域１３ｆを設ける構成でもよい。例えば、メモリ１２内部に設ける形態、或いはＨＤＤ１３とは異なる別のハードディスクに設ける形態でもよい。
【００９２】
（Ｄ）本実施形態では、処理中再生機能に関わる各種機能部が、マイクロプロセッサ等の演算処理装置上でプログラムを実行することにより実現されているが、各種機能部が複数の回路により実現される形態でもよい。
【００９３】
（Ｅ）本実施形態では、記録再生装置の具体例としてＨＤＤ搭載ＤＶＤレコーダ１を例として説明したが、これ以外の記録再生装置において本発明の処理中再生機能が用いられたとしても、同様の効果が得ることができる。例えば、ＨＤＤレコーダ、ＤＶＤレコーダ、ＤＶレコーダ、パソコン、デジタルビデオカメラ、或いは携帯電話などにおいて用いられる形態でもよい。
【００９４】
（Ｆ）本実施形態では、処理中再生部１１ａが出力を行う動画としてハイライトデータ及びＣＭデータを例として説明したが、これら以外の動画を出力対象としてもよい。例えば、ＤＶＤメディアより抽出した映像（特典映像として含まれている映画の予告映像等）や、データ入力部１４から入力されている放送（例えばニュース速報等）を、出力対象とする形態でもよい。
【００９５】
（Ｇ）本実施形態では、制御部１１及びＨＤＤ１３がＨＤＤ搭載ＤＶＤレコーダ１の内部に備わっている構成を例として説明したが、制御部１１及びＨＤＤ１３に含まれる各機能部の一部或いは全部がネットワークを介して接続された外部装置により実現される形態であってもよい。例えば、待受再生データ記録領域１３ｆが、ネットワーク上に存在する共有記録媒体（ネットワークドライブ等）に設けられており、複数のＨＤＤ搭載ＤＶＤレコーダ１から待受再生データ記録領域１３ｆに対する記録および読み出しができる形態であってもよい。
【００９６】
（Ｈ）本実施形態では、処理中再生部１１ａが再生処理を行うタイミングとして、所定の処理が開始されてから完了するまでの時間を例として説明した。しかしこれ以外のタイミング、例えばＯＳＤ生成部により生成された設定画面がモニタに表示されている場合等の、いわゆる無音状態において処理中再生部１１ａによる再生処理を行ってもよい。ただしこの場合、モニタにはＯＳＤ生成部により生成された情報が既に表示されているため、処理中再生部１１ａが再生するデータは音声データのみに限定されることが望ましい。ただし、ＯＳＤ生成部がモニタ全てを使用して情報表示を行っておらず、表示可能領域がモニタ上の一部領域に存在している場合も考えられる。この場合は、処理中再生部１１ａが表示可能領域を用いて、動画の縮小再生を行う形態であってもよい。
【図面の簡単な説明】
【００９７】
【図１】は、本発明の一実施形態に係る記録再生装置が備える機能部の構成を示す機能ブロック図である。
【図２】は、本発明の一実施形態に係る記録再生装置を示す構成図である。
【図３】は、本発明の一実施形態に係る処理中再生機能の処理フローを示したフロー図である。
【図４】は、本発明の一実施形態に係る処理中再生機能の設定画面を示す画面図である。
【図５】は、本発明の一実施形態に係る処理中再生機能の設定画面を示す画面図である。
【図６】は、本発明の一実施形態に係る処理中再生機能の設定画面を示す画面図である。
【図７】は、本発明の一実施形態に係る処理中再生機能の設定画面を示す画面図である。
【図８】は、本発明の一実施形態に係る処理中再生機能の設定画面を示す画面図である。
【符号の説明】
【００９８】
１      ＨＤＤ搭載ＤＶＤレコーダ（記録再生装置）
１１    制御部
１１ａ  処理中再生部（処理中再生手段）
１１ｂ  命令受付部（受付手段）
１１ｃ  順序指定部（順序指定手段）
１１ｄ  優先データ指定部（優先データ指定手段）
１１ｅ  複製部（複製手段）
１１ｆ  種別指定部（種別指定手段）
１３    ＨＤＤ（記録手段）
１３ｆ  待受再生データ記録領域（優先データ記録手段）
１７    データ出力部
【図１】
2008112495.tif 000003
【図２】
2008112495.tif 000004
【図３】
2008112495.tif 000005
【図４】
2008112495.tif 000006
【図５】
2008112495.tif 000007
【図６】
2008112495.tif 000008
【図７】
2008112495.tif 000009
【図８】
2008112495.tif 000010